(57)【要約】【課題】  開口から小物を落としたり、走行中にポーチ本体がずり落ちたり、上下に激しく揺れたりすることがないベルト型ポーチを提供すること。【解決手段】  本発明は、伸縮性の素材からなる袋状のポーチ本体１であって、その前面かつ下部にてポーチ本体１を構成する伸縮性の素材１ａを内側に折り畳むことで、ポーチ本体１を長尺状のコンパクトな形態とすることができるポーチ本体１と、当該折り畳まれたポーチ本体１の左右両側端部に固定された一対のベルト５，６と、当該各ベルト５，６に装着されたベルト連結用バックル７，８と、前記ポーチ本体１の前面最上部に設けられた開口を開閉するためのスライドファスナー３と、折り畳まれた状態の前記ポーチ本体１の背面全面に配置された非伸縮性の滑り止め材１ｂと、を備え、ポーチ本体１を外側に展開して当該ポーチ本体１の収納容量を拡大できるベルト型ポーチ１０。【選択図】図１
2015085139.tif 000002
【特許請求の範囲】
【請求項１】
伸縮性の素材からなる袋状のポーチ本体であって、当該ポーチ本体の前面かつ下部にてポーチ本体を構成する伸縮性の素材を内側に折り畳むことで、ポーチ本体を長尺状のコンパクトな形態とすることができるポーチ本体と、
当該長尺状に折り畳まれたポーチ本体の左右両側端部に固定された一対のベルトと、
当該各ベルトに装着されたベルト連結用バックルと、
前記ポーチ本体の前面最上部に設けられた開口を開閉するためのスライドファスナーと、
折り畳まれた状態の前記ポーチ本体の背面全面に配置された非伸縮性の滑り止め材と、
を備えたベルト型ポーチであって、  
前記ポーチ本体の前面かつ下部にて折り畳まれたポーチ本体を外側に展開することで、当該ポーチ本体の収納容量を拡大することができることを特徴とするベルト型ポーチ。
【請求項２】
前記非伸縮性の滑り止め材は、ポーチ本体の左右両側端部に渡って配置されていることを特徴とする請求項１に記載のベルト型ポーチ。
【請求項３】
前記スライドファスナーの左右両端部に光反射材を設けたことを特徴とする請求項１又は２に記載のベルト型ポーチ。
【請求項４】
前記各ベルトに装着されたベルト連結用バックルは、当該ベルト連結用バックルから引き出された両ベルトの端部を引くことでベルトの長さ調節が可能であることを特徴とする請求項１〜３の何れか一項に記載のベルト型ポーチ。
【発明の詳細な説明】
【技術分野】
【０００１】
本発明は、ベルト型ポーチに関するものであって、より詳細には、折り畳むことで長尺状のコンパクトな形態とすることができる袋状のポーチ本体の両端にベルトを備えたベルト型ポーチに関するものである。
【背景技術】
【０００２】
従来、折り畳むことでコンパクトな形態とすることができる袋状のポーチ本体の両端にベルトを固定したベルト型ポーチが種々提案されている（特許文献１〜５）。
これらのベルト型ポーチは、マラソンやジョギングの際に、ランナーが胴部〜腰に装着して携帯電話、小銭、飲料、鍵などを入れて利用されることが多いのであるが、従来のベルト型ポーチには、以下のような問題がある。
【０００３】
ベルト型ポーチの前部の略中央にファスナを装着したものは、ポーチの中に入れた物を取り出す際に小銭や鍵のような小物を落とし易いという問題がある（特許文献１〜４）。
【０００４】
また、従来のベルト型ポーチにおいては、走行中に、ポーチ本体がずり落ちるように下がったり、上下に激しく揺れたりすることで、装着者にストレスを与えてしまい、走ることに集中できないという問題がある（特許文献１〜５）。
【０００５】
さらに、ポーチ本体内に物を入れると、ポーチ本体が装着者側に膨らみ、胴回りのサイズが変わってしまったり、装着者の胴部にゴツゴツとした違和感が生じ易いという問題がある（特許文献１など）。
さらに、従来のベルト型ポーチにおいては、汗染みができることについての考慮がされていないという問題がある。
【０００６】
また、従来のポーチにおいては、夜間の使用時における視認性が悪いという問題や、走行中にベルトの緩みが生じても元に戻しにくいという問題がある。
【先行技術文献】
【特許文献】
【０００７】
【特許文献１】特許第４９２９４９９号公報
【特許文献２】特許第４９５３３９９号公報
【特許文献３】特許第４８７８４０３号公報
【特許文献４】意匠登録第１４０５２３８号公報
【特許文献５】実用新案登録第３１８０１１８号公報
【発明の概要】
【発明が解決しようとする課題】
【０００８】
そこで、本発明が解決しようとする課題は、従来のベルト型ポーチにおいて、１）中に入れた物を取り出す際に小銭のような小物を落とし易いこと、２）走行中に、物が入れられたポーチ本体が下がったり上下に激しく揺れたりすることで、装着者にストレスを与えてしまい、走ることに集中できないこと、３）ポーチ本体内に物を入れると、ポーチ本体が装着者側に膨らみ、胴回りのサイズが変わってしまったり、装着者の胴部にゴツゴツとした違和感が生じ易いこと、４）汗染みの発生を防ぐことに関する配慮がないこと、５）夜間の使用時における視認性が悪いこと、６）走行中にベルトの緩みが生じても元に戻しにくいことであり、本発明の目的は、上記の課題を解決したベルト型ポーチを提供することにある。
【課題を解決するための手段】
【０００９】
本発明は、「伸縮性の素材からなる袋状のポーチ本体であって、当該ポーチ本体の前面かつ下部にてポーチ本体を構成する伸縮性の素材を内側に折り畳むことで、ポーチ本体を長尺状のコンパクトな形態とすることができるポーチ本体と、当該長尺状に折り畳まれたポーチ本体の左右両側端部に固定された一対のベルトと、当該各ベルトに装着されたベルト連結用バックルと、前記ポーチ本体の前面最上部に設けられた開口を開閉するためのスライドファスナーと、折り畳まれた状態の前記ポーチ本体の背面全面に配置された非伸縮性の滑り止め材と、を備えたベルト型ポーチであって、
前記ポーチ本体の前面かつ下部にて折り畳まれたポーチ本体を外側に展開することで、当該ポーチ本体の収納容量を拡大することができるベルト型ポーチ。」を最も主要な特徴とするものである。
【００１０】
前記非伸縮性の滑り止め材は、ポーチ本体の左右両側端部に渡って配置されているものであってもよい。
前記スライドファスナーの左右両端部に光反射材を設けたものであってもよい。
【００１１】
前記各ベルトに装着されたベルト連結用バックルは、好ましくは、当該ベルト連結用バックルから引き出された両ベルトの端部を引くことでベルトの長さ調節が可能である。
【発明の効果】
【００１２】
上記のように構成した本発明のベルト型ポーチにおいては、１）ポーチ本体の前面最上部に開口を設けているため、その開口から中に入れた物を取り出す際に小銭のような小物を落とすことを防ぐことができ、かつ、２）ポーチ本体の背面全面に滑り止め材を配置しているため、走行中にポーチ本体が下がったり、上下に激しく揺れたりすることを抑制することができる。
【００１３】
また、上記のように構成した本発明のベルト型ポーチにおいては、不使用時にはポーチ本体を折り畳んでコンパクトな形態とすることができるが、マラソンやジョギングの際には胴部〜腰に装着して携帯電話、小銭、飲料などといったランナーにとって携行することが必要な種々の小物をポーチ本体に入れることができる。
即ち、本発明のベルト型ポーチにおいては、伸縮性の素材から構成したポーチ本体を外側（主に下方）に展開することで、当該ポーチ本体の収納容量を拡大させてマラソンやジョギングなどの際に必要な物を入れることができるばかりか、伸縮性の素材からなるポーチ本体によってポーチ本体内に入れた物を締め付けるような作用効果を得られるため、ポーチ本体内の物がバタつくことを防ぐこともできる。
【００１４】
さらに、本発明のベルト型ポーチにおいて、前記非伸縮性の滑り止め材が、ポーチ本体の左右両側端部に渡って配置されているものとすることで、３）ベルトに引っ張られてポーチ本体が横方向に伸びることがなく、また、ポーチ本体内に物を入れても、ポーチ本体が装着者側に膨らみにくく、胴回りのサイズが変わりにくい。また、装着者の胴部にゴツゴツとした違和感が生じにくく、ベルトによる締め付け状態を安定して維持することもできることから、ポーチ本体が下にずり落ちることをより一層確実に防ぐことができる。
【００１５】
なお、前記非伸縮性の滑り止め材が、ポーチ本体の左右両側端部に渡って配置されているものとすることで、スライドファスナーに加えられる長手方向の引張力を抑制でき、ファスナーの損傷を防いだり、ファスナーによる開閉操作を滑らかにする効果を得ることもできる。
さらに、４）背面に配置された前記非伸縮性の滑り止め材として防水性を有するものを用いることで、汗染みの発生を抑制することができる。
【００１６】
また、本発明のベルト型ポーチにおいて、５）前記スライドファスナーの左右両端部に光反射材を設けたものとすることで、夜間における視認性を高めることができる。
さらに、本発明のベルト型ポーチにおいて、６）前記各ベルトに装着されたベルト連結用バックルから引き出された両ベルトの端部を引くことでベルトの長さ調節を可能とすることで、走行中にベルトの緩みが生じても簡単に元に戻すことができる。
【図面の簡単な説明】
【００１７】
【図１】本発明を具体化した長尺状のコンパクトな形態に折り畳まれた状態のベルト型ポーチを示す図であって、（Ａ）は正面図、（Ｂ）は背面図である。
【図２】本発明を具体化したポーチ本体内に物を収納した状態のベルト型ポーチを示す図であって、（Ａ）は正面図、（Ｂ）は背面図である。
【図３】本発明を具体化したベルト型ポーチのポーチ本体を示す図であって、（Ａ）はコンパクトに折り畳まれた状態のポーチ本体を示す断面図、（Ｂ）は物を収納した状態のポーチ本体を示す断面図である。
【図４】本発明を具体化したポーチを装着し、ベルトを前方に引いてベルトを締め付ける様子を示す正面図である。
【発明を実施するための形態】
【００１８】
本発明は、「伸縮性の素材からなる袋状のポーチ本体であって、当該ポーチ本体の前面かつ下部にてポーチ本体を構成する伸縮性の素材を内側に折り畳むことで、ポーチ本体を長尺状のコンパクトな形態とすることができるポーチ本体と、当該長尺状に折り畳まれたポーチ本体の左右両側端部に固定された一対のベルトと、当該各ベルトに装着されたベルト連結用バックルと、前記ポーチ本体の前面最上部に設けられた開口を開閉するためのスライドファスナーと、折り畳まれた状態の前記ポーチ本体の背面全面に配置された非伸縮性の滑り止め材と、を備えたベルト型ポーチであって、前記ポーチ本体の前面かつ下部にて折り畳まれたポーチ本体を外側に展開することで、当該ポーチ本体の収納容量を拡大することができるベルト型ポーチ」であって、以下において説明する実施の形態などにより好適に具体化することができる。
【００１９】
以下、本発明のポーチを具体化した一実施形態について説明する。
【００２０】
図１〜図４に示すように、本発明の一実施形態のベルト型ポーチ１０は、伸縮性の素材１ａからなる袋状のポーチ本体１を備えており、このポーチ本体１は、その前面かつ下部にてポーチ本体１を構成する伸縮性の素材１ａを図１（Ａ）及び図３（Ａ）に示すような略「Ｗ」字状となるように内側に折り畳むことで、ポーチ本体１を長尺状のコンパクトな形態とすることができるようになっている。
【００２１】
前記ポーチ本体１は、折り畳まれた状態の前記ポーチ本体１の背面全面に非伸縮性の滑り止め材１ｂが配置されるように、当該滑り止め材１ｂと前記伸縮性の素材１ａとが縫製されることで袋状に構成されている。
【００２２】
前記非伸縮性の滑り止め材１ｂは、その表面が滑り止め効果を発揮できるＰＵ、ＰＶＣ、生ゴム、天然ゴム、合成ゴムなどから適宜選択した素材から構成された柔軟なシート状の素材であって、長尺状又は帯状に形成されており、ポーチ本体１の左右両側端部に渡って配置されている。上記のような素材からなるシート状の滑り止め材１ｂは、防水性を発揮でき、ベルト型ポーチ１０及びポーチ本体１内に収納した物に汗染みが生じることを抑制することができる。
ポーチ本体１の背面全面に配置される本発明の非伸縮性の滑り止め材１ｂとしては、合成繊維製の布の表面に滑り止め効果を発揮できる前記ＰＵ、ＰＶＣなどから適宜選択した滑り止め効果を有する素材が格子状又はメッシュ状に配置されているもの、あるいは、布と滑り止め効果を有する素材からなる複合材であってもよい。
【００２３】
前記ポーチ本体１の前面最上部には、前記伸縮性の素材１ａと前記滑り止め材１ｂの辺縁部から構成される開口２が設けられており、その開口２を開閉するためのスライドファスナー３が、前記伸縮性の素材１ａと前記滑り止め材１ｂの辺縁部に沿って縫い付け固定されている。
さらに、前記スライドファスナー３の左右両端部には、光反射材４が縫い付け固定されており、夜間における視認性を向上させている。
【００２４】
長尺状に折り畳まれた前記ポーチ本体１の左右両側端部には、左右一対のベルト５，６の一端部（基端部）が前記滑り止め材１ｂの両端部に縫い付けられることで固定されている。
これにより、ベルトに引っ張られてポーチ本体が横方向に伸びることがなく、また、ポーチ本体内に物を入れても、ポーチ本体が装着者側に膨らみにくく、胴回りのサイズが変わりにくいという効果を得ることができる。
【００２５】
また、前記非伸縮性の滑り止め材１ｂとして、ＰＵ又はＰＶＣから構成されたやや厚めの柔軟なシート状の素材を採用することで、装着者の胴部にゴツゴツとした違和感が生じにくく、ベルトによる締め付け状態を安定して維持することもでき、ポーチ本体が下にずり落ちることをより一層確実に防ぐことができる。
さらに、防水性を有する前記滑り止め材１ｂが、汗の付きやすい背面全面に配置されていることにより、ベルト型ポーチ１０及びポーチ本体１内に収納した物に汗染みが生じにくいという効果を得ることができる。
【００２６】
前記各ベルト５，６には、ベルト連結用バックル７，８が装着されており、当該ベルト連結用バックル７，８の公知形状のスリット７ａ，８ａに挿通されたベルト５，６の位置を変更することで、ベルト５，６の有効長さを調節できるようになっている。
【００２７】
前記各ベルト５，６に装着されたベルト連結用バックル７，８は、当該ベルト連結用バックル７，８から引き出された両ベルトの端部をポーチ本体側へ引くことでベルト５，６の長さ調節が可能である。
このベルト５，６の長さを調節する操作は、主に緩くなったベルト５，６を締める操作であり、図４に示すように、ベルト型ポーチ１０を装着した走行中であっても、手探りで簡単に行うことができる。
【００２８】
なお、前記各ベルト５，６の他端部（先端部）は、ベルト５，６に装着された環状のベルト端部保持片５ａ，６ａに巻き付けられるようにして保持されるようになっており、ベルト５，６の先端部が垂れ下がってしまうことを防ぐことができる。
【００２９】
次に、本発明のベルト型ポーチ１０を製造する方法の一例について説明する。
本発明のベルト型ポーチ１０を製造するには、ポーチ本体１の大きさに合わせて適宜の形状に裁断した伸縮性の素材１ａと、滑り止め材１ｂと、スライドファスナー３の両端部に光反射材４を固定したものと、ベルト連結用バックル７，８を装着したベルト５，６を用意する。
【００３０】
さらに、伸縮性の素材１ａの辺縁部と、滑り止め材１ｂの辺縁部と、スライドファスナー３とを互いに縫い付ける。さらに、伸縮性の素材１ａの両端部を折り畳んだ状態で、伸縮性の素材１ａの両端部と、滑り止め材１ｂの両端部と、両ベルト５，６の一端部とを互いに縫い付ければよい。
【００３１】
従って、本発明のベルト型ポーチ１０においては、特別な手法を要することなく裁断及び縫製作業にて製造可能である。
なお、スライドファスナー３の引き手３ａとして、熱可塑性ゴム（ＴＰＲ）などの樹脂を被覆した太めのポリエステルコードを環状に形成したものを用いることで、持ち易く滑りにくいため、ランナーが走行中であってもポーチ本体１のスライドファスナー３の開閉操作を確実かつ簡単に行うことができる。
【実施例１】
【００３２】
本発明を具体化した実施例１のベルト型ポーチ１０においては、伸縮性の素材１ａとして厚さ約０．２ｍｍの薄いポリウレタン（ＰＵ）を含む合成繊維からなる布を用いている。非伸縮性の滑り止め材１ｂとしては、厚さ約０．５ｍｍのポリ塩化ビニル（ＰＶＣ）からなるやや厚めのシートであって、表面にシボ加工を施したものを用いている。
この滑り止め材１ｂの表面に施したシボ加工により、走行中にポーチ本体１が上下に揺れるのを防ぐ効果をより一層高めることができる。
【００３３】
そして、本発明を具体化したベルト型ポーチ１０の本実施例においては、ポーチ本体１及び滑り止め材１ｂの横方向の長さが約２５ｃｍ、折り畳んだ状態のポーチ本体１及び滑り止め材１ｂの高さが約４ｃｍ、ポーチ本体１の内部に物を収納した場合の最大高さが約１０ｃｍとなっている。
【００３４】
従って、上記のサイズにて本発明を具体化したベルト型ポーチ１０においては、携帯電話Ｐ、小銭Ｍ、スポーツ用の栄養補給食Ｓ、鍵といったランナーＲが通常必要とする物を入れるのに好適なものとなっている。
【００３５】
上記のサイズにて本発明を具体化したベルト型ポーチ１０にてトレッドミル走行１０ｋｍなどにより、本発明の効果を確認したところ、上下の揺れが抑制されており、ずり落ちすることも抑制されており、ポーチ本体１から物を出す際に小銭Ｍを落としてしまうということもなく、夜間での視認性を得られることが確認された。
【００３６】
さらに、ベルトの締め付け具合に緩みが生じた場合には、図４に示すようにベルト連結用バックル７，８と、環状のベルト端部保持片５ａ，６ａとの間のベルト５，６を左右の手でそれぞれ前方へ引くことでベルト５，６の緩みを簡単に直すことができる。
【００３７】
即ち、本発明を具体化したベルト型ポーチ１０においては、従来のベルト型ポーチにおいて生じていた問題を解消できており、ランナーＲによる高い製品評価を得ることができた。
特に、ベルト５，６として柔らかくて強度のあるナイロン、ポリエステル及びゴム素材からなるベルトを採用することで、胴部〜腰にフィットし易く長時間装着しても痛みを感じることを防ぐことができる。
【００３８】
なお、本発明のベルト型ポーチ１０は、旅行、ハイキング、サイクリング、ゴルフ、日常生活などの局面で使用しても便利なものであり、ランニング又はジョギングの専用品というものではない。
従って、上記実施例１のベルト型ポーチ１０においては、旅行時におけるコンパクトデジタルカメラ、地図、パスポートなどを入れることができる容量にポーチ本体１を大きくすることができるようになっている。
【００３９】
本発明は、上記にて説明した実施形態又は実施例に記載された具体的な構成に限定されるものではなく、本発明の趣旨を逸脱しない範囲でベルト型ポーチ１０の各部の材質、形状、外観寸法、素材の厚さ、配置などを適宜変更して実施してもよい。
【００４０】
例えば、本発明のポーチ本体１の背面を構成する非伸縮性の滑り止め材１ｂは、その裏面も滑り止め効果を発揮できるＰＵ、ＰＶＣ、生ゴム、天然ゴム、合成ゴムなどから構成された素材を用いて実施してもよい。これにより、ポーチ本体１内に収納された物の動きをより一層抑制可能である。
また、滑り止め材１ｂ自体が防水性を有することは必ずしも必要ではなく、格子状又はメッシュ状の滑り止め材を用いてもよいが、格子状又はメッシュ状の滑り止め材の裏側に防水性の布又はシートを配置することで汗染みを抑制できるようにしてもよい。
【産業上の利用可能性】
【００４１】
本発明のベルト型ポーチは、従来の裁断、縫製技術にて製造することができ、不使用時にはコンパクトな形態とすることができるが、マラソンやジョギングの際には胴部〜腰に装着して飲料、小銭、携帯電話など種々の小物を入れて使用することができ、実用上の利便性に優れたベルト型ポーチとして好適に利用可能である。
【符号の説明】
【００４２】
１    ポーチ本体
１ａ  伸縮性の素材
１ｂ  非伸縮性の滑り止め材
２    開口
３    スライドファスナー
３ａ  引き手
４    光反射材
５    ベルト
５ａ  ベルト端部保持片
６    ベルト
６ａ  ベルト端部保持片
７    ベルト連結用バックル
７ａ  スリット
８    ベルト連結用バックル
８ａ  スリット
１０    ベルト型ポーチ
Ｍ    小銭
Ｐ    携帯電話
Ｒ    ランナー
Ｓ    栄養補給食
【図１】
2015085139.tif 000003
【図２】
2015085139.tif 000004
【図３】
2015085139.tif 000005
【図４】
2015085139.tif 000006